(57)【要約】【課題】従来の風船タイマー玩具は、ゲーム用タイマーとしての機能的な構成は示されているが、ゲームを効率的に運行・機能させるための手段が明示されていない。そのため、所期ゲームの一環として効率的に運行・機能できる手段を有する風船タイマーを提供する。【解決手段】風船を取付けた逆流防止手段を内設した雄継手と、この逆流防止手段の解除手段を内設した雌継手とを挿着する一操作で、排気の開始と共に、排気の状態を感知する感知手段が有効に機能する構成として、この感知手段の検知で排気終了時点を定めることができる。【選択図】図３
2005261715.tif 000002
【特許請求の範囲】
【請求項１】
気体を封入した風船と、この風船に一端が接続され上記気体の逆流防止手段を有する第１の継手と、この第１の継手に着脱自在に挿着され、上記第１の継手との接続により上記気体の逆流防止手段を開放する解除手段を有する第２の継手と、この第２の継手に係着され上記風船から排出される排気の状態を感知する第１の感知手段、または上記風船の縮退過程で風船の所定位置到達を感知する第２の感知手段とを備えたことを特徴とする風船タイマー。
【請求項２】
感知手段は、第１の継手と第２の継手の挿着による上記逆流防止手段を開放の所期時間後に、オンとなるような遅延手段を設けたことを特徴とする請求項１記載の風船タイマー。
【請求項３】
挿着継手は、嵌合継手であることを特徴とする請求項１又は２記載の風船タイマー。
【請求項４】
遅延手段は、挿着継手の雌継手穴に段部を設け、雄継手の先端がこの段部へ当接する位置で、上記逆流防止手段を解除手段で開放することを特徴とする請求項１乃至３記載の風船タイマー。
【請求項５】
感知手段は笛であることを特徴とする請求項１記載の風船タイマー。
【発明の詳細な説明】
【技術分野】
【０００１】
本発明は、所定の時間内で競うゲームを行う際の所定時間を規制する、風船を用いた遊技タイマーに関する。
【背景技術】
【０００２】
従来のゲーム用風船タイマー遊具としては、風船と、膨らませた風船の排気状態や風船の縮退過程を感知する感知器と、これにより作動する告知部分よりなるタイマー玩具がある（例えば特許文献１参照）。
また、その感知器としては、排気圧又は排気流量の所定値を感知するもの、風船の縮退過程で所定位置に在るのを所定の磁石に磁着する構成で感知するもの、或いは赤外線センサーで感知するもの等がある。
【０００３】
以下、特許文献１公報により従来の風船タイマーについて説明する。排気筒に膨らませた風船を取付け、この排気筒の他端にある開閉器の回動で風船の排気を開始し、排気の押圧力変化で球が移動する動きが感知器として構成され、さらに、この動きで音を発する告知部分とするもの（特許文献１「０００６」１乃至１３行）、また、磁着片を係着した風船は膨らませて排気筒に挿着され風船を挟止したクリップの開放で排気が始まり、風船が縮退して磁着片が所定位置に設定された磁石に磁着する動きが感知器となる構成のもの（特許文献１「０００７」１乃至１８行）、或いは風船の縮退する過程で所定位置に設定の赤外線センサーに接するのが感知され感知器構成とするもの（特許文献１「０００８」１乃至５行）、更に感知器として機構やセンサー使用の可能性記述（特許文献１「０００６」２７および２８行）があり、これらの感知が告知部分で表示される構成のものである。
【０００４】
【特許文献１】特許第２６９８８８９号公報（第1〜３頁、図１〜３、図6）
【発明の開示】
【発明が解決しようとする課題】
【０００５】
上に述べた従来の風船タイマー玩具での問題点は、ゲーム用タイマーとしての機能的な構成として、感知器では、排気の状態を感知する方式の第1の感知手段のもの、或いは風船の縮退する位置を感知する方式の第２の感知手段のもの、また告知部の構成例等の、タイマーの機能を実現させる構造は示されているが、ゲームの流れを留らせることなくこれらの機能を実現させる手段、すなわち、風船を膨らませ、取付け、排気、検知、告知等の、所期機能を効率的に運行し機能させるための手段の明示については不十分なものであった。
【０００６】
本発明は、上述のような問題点を解決するためになされたもので、所期ゲームの一環としてゲームを効率的に運行し機能させることのできる手段を有する風船タイマーを提供することを目的とする。
【課題を解決するための手段】
【０００７】
本発明は上記目的を達成するために、第１の発明は、気体を封入した風船と、この風船に一端が接続され上記気体の逆流防止手段を有する第１の継手と、この第１の継手に着脱自在に挿着され、上記第１の継手との接続により上記気体の逆流防止手段を開放する解除手段を有する第２の継手と、この第２の継手に係着され上記風船から排出される排気の状態を感知する第１の感知手段、または上記風船の縮退過程で風船の所定位置到達を感知する第２の感知手段とを備えたことを特徴とするものである。
【０００８】
また、第２の発明は、感知手段は、第１の継手と第２の継手の挿着による上記逆流防止手段開放の所期時間後に、オンとなるような遅延手段を設けたことを特徴とするものである。
【０００９】
また、第３の発明は、挿着継手は、嵌合継手であることを特徴とするものである。
【００１０】
また、第４の発明は、遅延手段は、挿着継手の雌継手穴に段部を設け、雄継手の先端がこの段部へ当接する位置で、上記逆流防止手段を解除手段で開放することを特徴とするものである。
尚本願で、段部とは、その形状或いは材質の変化により挿着時の挿入抵抗の変化を感知させる構造を言う。
【００１１】
また、第５の発明は、感知手段は笛であることを特徴とするものである。
尚本願で、笛とは空気の流れが要因で音を発する器具を言う。
【発明の効果】
【００１２】
上記第１の課題解決手段による作用は次の通りである。すなわち、風船の排気時間をゲームのタイマーとする本具において、第１の継手に挿着した風船は、吐出口が第２の継手形状に造られたポンプの吐出口に着脱自在に挿着され、逆流防止手段が有るために任意に気体を封入拡大することが出来、この封入量がゲーム時間と対応するため、遊戯者が風船の容量限界一杯の破裂寸前を目指しての拡張操作を行うことでゲームの興趣が盛り上がる。この状態で第１の継手の逆流防止手段により可搬状に保持される。この風船付き第１の継手と第２の継手との挿着で第１の継手の逆流防止手段が第２の継手の解除手段により解除され風船内空気の排気が開始される。この装着操作がタイマーの始点となる。継続した排気が所定の終了状態となったのを第１の感知手段に検知された時点、または排気継続で縮退する風船が所定位置に達したのを第２の感知手段に検知された時点、この時点がタイマーの終点となる。この検知は所定の告知部分によって終了告知表示がなされる。このように本発明は、ゲーム者が風船破裂のリスクを負いつつ任意に風船を膨らませるゲーム時間の設定を容易に行うことが可能となり、可搬状態の風船付き継手の相手継手への挿着操作のみでタイマー開始と終了のタイマー機能が働かされ得る取扱い容易・構造簡易で遊び要素のある風船タイマーとできる効果がある。
【００１３】
また、第２の課題解決手段による作用は、第１の継手と第２の継手との挿着で逆流防止手段が解除され排気が開始されるが、この排気が流れて上記第１の感知手段へ到達して排気を感知するまでに若干の時間を要する。一方、継続した排気が減少して終了する時点の検知を所定目標とする上記第１の感知手段（電気回路の場合）にあって、仮に、排気開始時と同時に感知手段が機能すると、上述のように排気が感知手段へ未到達のため無排気を感知して排気終了の表示となり不具合である。このような状況を回避するための手段として「排気開始時より排気が感知手段へ到達して継続した排気を感知できる時点以降に感知手段が機能するような所期の遅延時間」を生成させるための遅延手段を設け、この所期遅延時間後に感知手段が機能する構造とする。また、上記第２の感知手段の場合、継手の挿着で排気が開始され風船の縮退が始まると同時に感知手段も機能させると、この挿着を行うゲーム者の動作が感知手段に接触して、誤った排気終了の検知を作動させる恐れがある。これを防止し確実な感知が行われるように、感知手段の機能開始時期を挿着操作終了以降とする遅延手段を設ける。このように本発明は、所要の遅延手段を設けることで、挿着の一操作により排気開始と感知手段の機能設定とをおこない、ゲーム開始と終了のタイマー機能を働かせ得る風船タイマーとできる効果がある。
【００１４】
また、第３の課題解決手段による作用は、雄継手と雌継手との夫々に相互の嵌合部分を設け、押込む或いは引抜くの一操作でこの部分を嵌着・脱離させて挿着操作を成立させる市販筆記具の本体とキャップとの着脱自在構造と同様な風船の継手であり、本構造により嵌着時の雄雌・継手の相互の関係位置は規定でき、また、風船の空気圧力では離脱しない把持力は備えた継手となる。このように本発明は、一操作で着脱され、挿着時の相互位置が確定される操作容易で構造簡易なゲーム用風船タイマーの継手とできる効果がある。
【００１５】
また、第４の課題解決手段による作用は、雌継手穴に段部を設けた挿着継手において、雄継手は挿着を始めるとその先端が雌継手穴の段部に当たるが、この時点で、雄継手の逆流防止手段は雌継手の解除手段により解除され排気が開始されるように解除手段は設置されており、更に挿着を進めて挿着完了位置で止まる。挿着者がこの挿着操作を行うとき、挿着開始して雄継手が上記段部に当たるとその手応えを感じ、これに反応してそれまでの挿着操作と区切りが生じ、引続き改めて挿着操作を行い挿着完了位置まで挿着するが、この区切り操作が行なわれるために挿着時間が増加する。そのため、挿着完了位置で感知手段の回路がオンとなるようにスイッチ設定された構成においては、排気開始時点より挿着完了までの挿着時間の増加を伴う本案は上記第２の発明の遅延手段の１形態となる。尚、本案で挿着完了位置は第３の発明の嵌合継手を用いて嵌着位置でスイッチオンとなるようスイッチ設定をすることが望ましい。このように本発明は、挿着継手の雌継手穴に段部を設け、雄継手のこれへの当接と同時に排気開始し、嵌着完了でスイッチオンとなる継手とすることで、構造簡易な感知手段の遅延手段とできる効果がある。
【００１６】
また、第５の課題解決手段による作用は、排気の感知手段が笛であるため、継手の挿着で排気が開始されて笛が鳴りタイマー始点を告げ、排気の終了で笛が鳴り止むことがタイマーの終点となり、笛の鳴っている間がゲーム時間となる。このように本発明は、膨らませた風船の、継手の挿着で笛を鳴らし、音の有無でタイマー機能を表示する操作・構造の簡易な風船タイマーとできる効果がある。尚、従来の風船タイマー玩具には音の有無でタイマー機能を表示するもの、すなわち音をタイマー媒体とするものはない。
【発明を実施するための最良の形態】
【００１７】
本発明は以下の実施例のように実施される。
【実施例１】
【００１８】
以下、本発明の一実施例を図１〜図４に基づいて説明する。図において、１は風船で、プラスチック製の第１の継手２の一端に挿着する。第１の継手２の他端は雄継手２aとなり、先端は滑らかに微小な凸部１２（図３に示す）を形成し、プラスチック製の第２の継手３の一端雌継手３aに挿着し、この雌継手３aの穴の奥端には第１の継手２の凸部１２と嵌合する凹部１３が形成され、この雄継手２ａと雌継手３ａとで嵌合継手を構成する。この、雌継手３ａの内面である雌面３３｛図３（ｄ）に示す｝はその奥行き途中に段部３０を設けている。この段部３０は、ゴム製のＯリング３０ｂが角型の溝３０ａに緩挿され、Ｏリング３０ｂの内径が雌面３３より僅かに張り出している。第２の継手３は、その他端には先端に排気口１１が設けられた感知部４を装着し、支柱６aで台６上に支持されている。台６の内部には、告知部（図示せず）としてのスピーカー７の他に、音声ＩＣ等の音声回路や、電池、制御回路類等が収納されている。また、第１の継手２には、逆流防止手段である逆止弁８が内設されており、第２の継手３には逆止弁８と対面する位置に突起部９が設けられ、この逆止弁８を突起部９が押開くことでの解除手段が構成されている。また、第２の継手３の外周部端面の下位置にスイッチ５が固着されている。
【００１９】
また、図３（ａ）に示すように、第１の継手２の凸部１２の凸端と逆止弁８の外面までの距離がｘ、第２の継手３の凹部１３の溝最底点と突起部９の先端までの距離がｙであるとき、
ｙ−ｘ＝ｚ、
ｚは逆止弁８の押開き寸法であり、これが所定寸法となるように突起部９が設けられている。また、第２の継手３の段部３０は、第１の継手２が挿入されその先端が段部３０のＯリング３０ｂに当接する位置で突起部９が逆止弁８を開くような関係位置に設けられている。さらに、図３（ｃ）に示すように、第１の継手２と第２の継手３が嵌合状態位置で、第１の継手２の鍔２２がスイッチ５を押してオンとできる位置にスイッチ５が設置されている。
【００２０】
また、ポンプ１０の吐出口（図示せず）は、第２の継手３の雌継手３aと同様の形状であり、風船１を挿着した第１の継手２の雄継手２ａはこれに嵌着され、風船１は膨らまされる。
【００２１】
感知部４内には、図４に示すように、絞り部１６を設けて排気口１１寄りに感知部４に固定された仕切り１７の中央部には、コイル１５を捲挿した鉄心１４が端面を仕切り１７の外面と揃えて固定されている。鉄心１４には、その内部を摺動する非磁性材製の移動軸１８が嵌挿されており、移動軸１８の一端側には磁性材製の磁着板１９が固定されている。移動軸１８の他端には、磁着板１９が鉄心１４に吸引されて移動軸１８が矢印Ｅ方向へ移動したときに作動する感知部４のスイッチ２１が設置されている。また、感知部４の先端に設けた排気口１１の内側には複数の当接点２０が設けられている。
【００２２】
以下、上記構成の動作を説明する。第１の継手２に挿着した風船１はポンプ１０で膨らまされる。この第１の継手２を第２の継手３に挿着を開始し先端が段部３０のＯリング３０ｂに当たる時点で突起部９が逆止弁８を押開き、図３（ｂ）に示す矢印Ｃ方向に排気が開始される。この時点をｓとする。排気の開始で鉄心１４内の移動軸１８と磁着板１９は、絞り部１６を通過した排気に押されてＣ方向へ移動し当接点２０に当たって止まる。第１の継手２を更に挿入して第１の継手２の凸部１２と第２の継手３の凹部１３が嵌着すると、図３（ｃ）に示すように、スイッチ５が鍔２２に当たってオンとなり、コイル１５に通電して鉄心１４は磁石となる。この時点をｔとする。移動軸１８の磁着板１９に鉄心１４の磁力が作用するが、上述の排気が継続中は排気の押力がこの磁力に勝り磁着板１９は当接点２０に止まるように鉄心１４と磁着板１９の間隔ｆが設定されている。
【００２３】
排気が終了直前で鉄心１４の磁着力が排気圧力に勝ると磁着板１９は鉄心１４に吸引され移動軸１８は矢印Ｅ方向へ移動し、その他端に押されて感知部のスイッチ２１が作動し、これにより告知部が作動してタイマー終了の音声をスピーカー７より発する。
【００２４】
本構成では、ｓ時点とｔ時点との時間差が所期遅延時間であり、その遅延手段として、第２の継手３の段部３０の形状、及び突起部９と逆止弁８との関係位置、更に、スイッチ５の設置位置の関連設定が必要である。
【実施例２】
【００２５】
図５は第２の実施例である。感知部４の他の実施形状例であり、図３（ａ）に示す感知部４が本実施例で構成された事例である（図３に示すスイッチ５を除いたもの）。図５において、感知部４に笛２３が内設され、この笛２３は吹出管２４に添設した振動弁２５の振動で発音する。
【００２６】
この動作を説明すると、膨らませた風船１を挿着した第１の継手２を第２の継手３に挿着すると排気が開始され、排気は笛２３の吹出管２４を通り排出されるが、吹出管２４を通過の際に振動弁２５を振動させて音を発する。排気が終了すると振動弁２５の振動が止まり音は止む。この音の発生開始をタイマーの始点、終了をタイマー終点とするものである。本実施例のタイマーは、ゲーム継続中は音が鳴っていること、及び排気の終了に伴う排気圧の減少に従い音声が弱くなるため終点の明示が難しいこと等は有るが、ゲーム用タイマーとしては実用上支障なく、さらに他例にように電気関係の使用もないので構造は簡易である。尚、本例の場合、継手の相対位置関係の必要性がないため、挿着継手として多重螺子継手等の簡易な継手の使用も可能である。また、タイマー器具としての時間の長短に対応するには吹出管２４の断面積を変更する。
【実施例３】
【００２７】
図６は第３の実施例であり、第１の継手２および第２の継手３の他の実施形状例である。プラスチック製の第１の継手２はその雄継手２a部分は薄肉とし先端に向けて内向き緩勾配となって外面は雄面３２を形成し、第２の継手３の雌継手３a部分は先端に向けて外向きに同様の緩勾配となって内面は雌面３３を形成している。しかし、雄面３２の勾配は雌面３３の勾配に比して微かに緩く設定されている。これを挿着すると、勾配の微差による雄面３２の歪で生じる応力で継手間の摩擦が増し、風船の排気圧力差では装着維持に支障ない継手となる。すなわち、挿着継手は、その装着部は弾性を有する素材で、雄・雌継手の挿着面は勾配面であり、その雄継手の挿着面勾配が雌継手の挿着面の勾配に比して緩勾配である構造の、風船タイマーの挿着継手である。
【実施例４】
【００２８】
図７は第４の実施例であり、感知手段の遅延手段である他の実施形態例である。第１の継手２に握りスイッチ２６を設置してある。この握りスイッチ２６は握るとオフ、放すとオンとなり、継手の挿着で感知部回路（図示せず）と接続されて回路スイッチとして作動する構造となっている。第１の継手２を第２の継手３に挿着するために握るとスイッチ２６はオフとなり、この状態で継手を挿着すると排気が開始され、更に押し込んで挿着操作を終了して握りを放すと握りスイッチ２６はオンとなり、これにより感知部回路がオンとなる。すなわち、感知手段の遅延手段として機能する。
【００２９】
なお、別の感知手段の遅延手段として（図示せず）、感知手段の電気回路に、周知の電気回路であるコンデンサと抵抗で構成される遅延回路を用い、その、時定数Ｔ＝（コンデンサ容量Ｃ）×（抵抗Ｒ）が所期の時間となるようにその構成を設定し、この遅延回路を感知手段の遅延手段とする。
【図面の簡単な説明】
【００３０】
【図１】本発明、風船タイマーの一実施例全体外観斜視図
【図２】同例の風船膨張操作の外観斜視図
【図３】（ａ）同例の継手部分の構造説明断面図        （ｂ）同例の挿着過程の説明断面図        （ｃ）同例の挿着完了状態の説明断面図        （ｄ）同例の雌継手の部分拡大断面図
【図４】同例の感知部例の断面図
【図５】笛を用いた実施例の感知部断面図
【図６】挿着継手の他の実施例断面図
【図７】継手に遅延手段を設けた実施例の断面図
【符号の説明】
【００３１】
１    風船
２    第１の継手
２ａ  雄継手
３    第２の継手
３ｂ  雌継手
４    感知部
５    スイッチ
８    逆止弁
９    突起部
１０  ポンプ
１２  凸部
１３  凹部
１４  鉄心
１６  絞り部
１７  仕切り
１８  移動軸
１９  磁着板
２３  笛
２４  吹出管
２５  振動弁
２６  握りスイッチ
３０  段部
３０ａ  溝
３０ｂ  Ｏリング
【図１】
2005261715.tif 000003
【図２】
2005261715.tif 000004
【図３】
2005261715.tif 000005
【図４】
2005261715.tif 000006
【図５】
2005261715.tif 000007
【図６】
2005261715.tif 000008
【図７】
2005261715.tif 000009